(57)【要約】      （修正有）【課題】内側容器も外側容器も透明部材で形成しているため、外側から発芽の状態や発育状態が目視することができ、大量に栽培することも容易であると共に、栽培後の内側容器と外側容器と蓋体とは何度でも再使用できる。【解決手段】キクラゲや椎茸等のキノコＡを繰り返し栽培できる二重容器に関するものであり、上方に開口部を有するカップ状の内側容器１と、上方に開口部を有するカップ状の外側容器２と、前記夫々の開口部を同時に閉蓋できる蓋体３と、から成り、前記内側容器１と前記外側容器２とは夫々透明部材で形成すると共に、前記内側容器１を前記外側容器２に内装し、前記内側容器１の胴周には略等間隔にキノコ繁殖用の多数の繁殖用孔１ａを穿設したものである。【選択図】図１
2011000033.tif 000002
【特許請求の範囲】
【請求項１】
上方に開口部を有するカップ状の内側容器と、上方に開口部を有するカップ状の外側容器と、前記夫々の開口部を同時に閉蓋できる蓋体と、から成り、前記内側容器と前記外側容器とは夫々透明部材で形成すると共に、前記内側容器を前記外側容器に内装し、前記内側容器の胴周には略等間隔にキノコ繁殖用の多数の繁殖用孔を穿設したことを特徴とするキノコ栽培用二重容器。
【発明の詳細な説明】
【技術分野】
【０００１】
本発明はキノコ栽培用二重容器に関するものであり、更に詳細には、キクラゲや椎茸等のキノコを繰り返し栽培できる二重容器に関するものである。
【背景技術】
【０００２】
従来、この種のキノコの人工栽培は、栽培ビンに培地を充填し、種菌を接種するための孔を開け、培地を殺菌し、種菌を接種して培養していおり、例えば、先に開示された、多数の穴５の明いた樹脂製袋容器２内に、木の繊維質からなる素材で菌床１を作製し、その菌床１を室内容積効率が良くなるよう上下段違いに吊り支具６により多数縣吊し、袋容器２の穴５に育成したきのこを収穫するもの（特許文献１参照）や、開閉式の空気穴のある内蓋と、開閉式の空気穴のない外蓋とからなる二重構造式の上蓋と、上部は開閉式、底部は非開閉式の、苗の根の部分を入れる為の、光を通さない、且つ、吸収性のある布製の袋と、苗の支えを取り付けた横棒式の苗床と、底に温度自動調節式電熱装置を取り付けた、水漏れのしない透明な保温容器とを、一体として組み合わせたもの（特許文献２参照）等が開示されている。
【特許文献１】特開平１１−８９４２４号公報
【特許文献２】実開平１−１１６０４５号公報
【発明の開示】
【発明が解決しようとする課題】
【０００３】
然し乍ら、前述の開示されている特許文献１に記載のキノコ栽培用容器は、薄い樹脂フィルム製の袋容器２に多数の穴を開けて吊り支具６により縣吊しているものであるが、使用した袋容器は使い捨てのもので、資源が無駄に成っているものであり、更には、特許文献２に記載のものは、二重容器を用いており、加えてその中に布製の袋を用いているものであり、二重容器の構造も複雑で、布製の袋は使い捨てのものであり、夫々課題を有していた。
【課題を解決するための手段】
【０００４】
本発明は前述課題に鑑み、鋭意研鑽の結果、これらの課題を解決するもので、上方に開口部を有するカップ状の内側容器と、上方に開口部を有するカップ状の外側容器と、夫々の開口部を同時に閉蓋できる蓋体と、から成り、内側容器と外側容器とは透明部材で形成すると共に、内側容器を外側容器に内装し、内側容器の胴周には略等間隔にキノコ繁殖用の多数の繁殖用孔を穿設したものである。
【発明の効果】
【０００５】
前述の如く構成した本発明のキノコ栽培用二重容器は、カップ状の内側容器と、内側容器を内装する外側容器と、開口部を閉蓋する蓋体と、から成り、内側容器の胴周には略等間隔にキノコ繁殖用の多数の繁殖用孔を穿設したものであり、内側容器に種菌を接種した培養地を充填して、外側容器に挿入し、蓋体で閉蓋するもので、内側容器も外側容器も透明部材で形成しているため、外側から発芽の状態や発育状態が目視することができ、発芽したら外側容器を取り外すもので、大量に栽培することも容易であると共に、栽培後の内側容器と外側容器と蓋体とは何度でも再使用できるものであり、画期的で実用性の高い有効な発明である。
【発明を実施するための最良の形態】
【０００６】
以下、本発明のキノコ栽培用二重容器の実施の形態を図面によって、具体的に説明すると、図１は本発明のキノコ栽培用二重容器の実施例の概要説明図である。
【０００７】
本発明はキノコ栽培用二重容器に関するものであり、更に詳細には、キクラゲや椎茸等のキノコＡを繰り返し栽培できる二重容器に関するものであり、上方に開口部を有するカップ状の内側容器１と、上方に開口部を有するカップ状の外側容器２と、前記夫々の開口部を同時に閉蓋できる蓋体３と、から成り、前記内側容器１と前記外側容器２とは夫々透明部材で形成すると共に、前記内側容器１を前記外側容器２に内装し、前記内側容器１の胴周には略等間隔にキノコ繁殖用の多数の繁殖用孔１ａを穿設したことを特徴とするものである。
【実施例】
【０００８】
即ち、本発明のキノコ栽培用二重容器の内側容器１は、図１に図示するように、上方に開口部を有するカップ状に形成されるもので、透明部材で有ればプラスチック製でもガラス製でも構わないものであるが、プラスチック製のものが好適であり、胴周には後述する多数の繁殖用穴を穿設しているものである。
【０００９】
そして、外側容器２も、透明なプラスチック製の上方に開口部を有したカップ状のもので、前記開口部から内側容器１を内装させるもので、内装させた時、外側容器２と内側容器１との夫々の開口部は平坦に成ることが望ましいものである。
【００１０】
次に、蓋体３は、外側容器２と内側容器１との夫々の開口部を閉蓋するもので、蓋体３の閉蓋の構造は各種考慮され特に限定するものではないが、夫々の開口部に同時に嵌合する２つの環状のリブを形成したものである。
【００１１】
更に、内側容器１と外側容器２とは透明部材で形成するもので、硬質の透明部材であるプラスチック製のものが好適なものであり、透明部材したことによりキノコＡの発芽状態や発育状態が外側から目視できるものである。
【００１２】
更には、キノコ繁殖用の多数の繁殖用孔１ａは、内側容器１の胴周に穿設するものであり、その直径が１０〜３０ｍｍ程度のもので、上下方向と周方向に略等間隔に多数穿設するものであり、栽培するキノコＡによってその間隔や直径は若干相違するものである。
【００１３】
本発明のキノコ栽培用二重容器は、先ず、蓋体３を取り外した内側容器１に種菌を接種した培養地を充填し、その内側容器１を外側容器２の中に挿入して、内側容器１と外側容器２との開口を同時に蓋体３で閉蓋するものであり、外側容器２の中は密閉状態なのでキノコＡは安定して発芽するものであり、その状態で数日間放置するものである。
【００１４】
そして、内側容器１も外側容器２も透明部材で形成しているため、外側から容易に発芽の状態を確認することができ、発芽を確認できたら内側容器１を外側容器２から取り出して、放置しておけばキノコＡが多数の繁殖用穴から繁殖し、容易に栽培できるものである。
【産業上の利用可能性】
【００１５】
本発明は、カップ状の内側容器と、内側容器を内装するカップ状の外側容器と、開口部を閉蓋する蓋体と、から成り、内側容器の胴周には略等間隔にキノコ繁殖用の多数の繁殖用孔を穿設したものであり、内側容器に種菌を接種した培養地を充填して、外側容器に挿入し、蓋体で閉蓋するだけのもので、内側容器も外側容器も透明部材で形成しているため、外側から発芽の状態や発育状態が目視することができ、発芽したら外側容器を取り外すものであり、容易に栽培できると共に、栽培後の容器は何度でも再使用できるキノコ栽培用二重容器の提供である。
【図面の簡単な説明】
【００１６】
【図１】図１は本発明のキノコ栽培用二重容器の実施例の概要説明図である。
【符号の説明】
【００１７】
１      内側容器
１ａ    繁殖用孔
２      外側容器
３      蓋体
Ａ      キノコ
【図１】
2011000033.tif 000003